(57)【要約】      （修正有）【課題】デンタルアームをスムースに回動移動するとともに適宜位置での固定を簡易に行え且つ確実に固定できるようにするデンタルアームにおける昇降およびロック装置を提供する。【解決手段】基台側の第１の基部ブラケット６と、器具載置台側の第２の基部ブラケット９とを設け、前記基部ブラケット間に平行リンクを形成する第２アームとリンクを設け、第２の基部ブラケット９の器具載置台側の第２アーム７の回転軸部７ｂの周縁部に第１噛合部７ｄを有する第１ローラー７ｃと、第２の基部ブラケット９に設けられる第２噛合部１２ａを有し且つ半月形状を成す第２ローラー１２を半月形の中心位置より偏芯させて回動自在とし、押し釦１６等で前記第２ローラー１２を押圧回動させることによって、前記第１噛合部７ｄと第２噛合部１２ａとを噛合また噛合を解除させるようにした。【選択図】図４
0003139512.tif 000002
【実用新案登録請求の範囲】
【請求項１】
ドクターまたはアシスタント等が使用する器具が載置されるホルダー等を支持するデンタルアームにおいて、
基台側に設けられる第１の基部ブラケットと、
器具載置台側に設けられる第２の基部ブラケットと、
前記第１および第２の基部ブラケットに両端が軸支され且つ上下方向に回動可動するように設けられる平行リンクの一辺を成す第２アームと、
平行リンクの他辺を成すリンクと、
前記第２の基部ブラケット側の第２アームの回転軸部の周縁部に第１噛合部を形成した第１のローラーと、
前記第２の基部ブラケットに対して回動自在に取り付けられ、且つ周縁部に第２噛合部を形成し且つ半月形状を成す第２のローラーを設けるとともに、前記第１噛合部と噛合また噛合を解除させるようにしたことを特徴とするデンタルアームにおける昇降およびロック装置。
【請求項２】
第２ローラーはローラー取付板に設けられ、且つ前記第２の基部ブラケットに対して偏芯して回動するように設けられるとともに、押し釦等により前記ローラー取付板を押圧することにより第１噛合部との噛合を解除させて上下方向への回動移動をフリーとし、押し釦を放すことにより前記２つの噛合部を噛合させて係止させ下方向への回動移動を制止するとともに第２アームの上方向への回動移動をフリーとするようにしたことを特徴とする請求項１に記載のデンタルアームにおける昇降およびロック装置。
【考案の詳細な説明】
【技術分野】
【０００１】
本考案は、歯科医院等で使用されるドクターまたはアシスタント等が使用する器具が載置されるホルダー等を支持するデンタルアームの昇降およびロック装置に関する。
【背景技術】
【０００２】
歯科医院等では、歯科診療室に設備される歯科用椅子やその周辺に設けられる歯科ユニットなどがあり、診療や治療を効率よくするために、看者が着座する歯科用椅子に治療器具等が即座に且つ容易に使用できるように歯科用器具等が載置されるホルダー等を可動アームを水平および垂直方向へ回動手段によって治療部位の適宜位置に移動させて使用している。
【０００３】
たとえば、この種の可動アームについては、実公昭５０−２７１１号の歯科ユニットにおける治療用テーブルが開示されている考案がある。これによると、治療用テーブルに加わる荷重の変化によって該テーブルが所定の高さから変動するおそれを防止する装置に関するものであるが、平行リンクにより上下に回動可動するアームが開示されている。
【０００４】
該アームの固定については、前記いずれかの平行リンクの一端にロック手段が設けられ、前記ロック手段は、ハンドル１５によりカム１４を回転させてロック部材１２をロック部材１２により強制的に抑止されて軸方向の移動は拘束され、摺動子６はリンク部材４内で固定状態とすることによりアームが適宜位置で固定される。
【０００５】
また実公昭５６−４６７４５号においては、第１図により、治療用テーブル７を下降させるときは、操作弁１９の突子１９′を押圧すると、加圧空気がエアーシリンダー１８内に供給され、そのロッド１８′はスプリング２７に抗してエアーシリンダー１８内に吸引され、傾動部材２１が軸片２２を支点として傾動し、可動棒１５の軸芯に対し直角状に導かれ、可動棒１５は孔２６に対し自由な摺動状態となし、この状態で治療テーブル７に僅かな押下力を加えると、平行可動アームＡを介して下降する。
【０００６】
該テーブル７が所望の高さ位置に至ったとき、操作弁１９の押圧操作を停止すると、傾動部材２１は再び第２図の状態に復元し、この状態で上位の連結杵１の下向きの傾動は拘束され、以後平行可動アームＡは治療用テーブル７に加わる荷重によって下降することはない。
【０００７】
第１図の状態から、治療用テーブル７を上昇させるときは、操作弁１９を操作することなく該テーブル７を押し上げると、リンク片１３に下降時と反対に反時計方向の回動力が作用して枢着部１６が固定側取付部材５における枢着部６側に移動し、可動棒１５も孔２６の端縁に挟圧された状態で同方向に移動し、これによって前記傾動部材２１はスプリング２７に抗して自動的に可動棒１５の軸芯に対し直角状に回動し、可動棒１５は自由な摺動状態となる。
【０００８】
この状態で治療用テーブル７を所望の高さ位置に押し上げた後、その押上力を解くと、傾動部材２１はスプリング２７により第２図の状態に復元し、該テーブル７はその高さ位置に固定される平行可動アームのロック機構が開示されている。
【０００９】
【特許文献１】実公昭５０−２７１１号
【特許文献２】実公昭５６−４６７４５号
【考案の開示】
【考案が解決しようとする課題】
【００１０】
ところで、実公昭５０−２７１１号の公報のものにあっては、平行リンクおよびバネにより適宜位置に回動自在になっているアームの上下移動のものであり、荷重の変化によって該テーブルが所定の高さから変動するおそれを防止するための固定装置である。
これによると、アームの固定手段として、ハンドル１５によりカム１４を回転させてロック部材１２をロック部材１２により強制的に抑止して軸方向の移動を拘束している。
【００１１】
この場合、ハンドルの軸とカムとの摩擦力によって維持されているものの、かなりの荷重が掛かった場合であれば、滑ってロックが容易に外れるまた数度のロックによる磨耗などが生じ時間的経過によりロックが利かなくなるなどの課題がある。
【００１２】
後者の実公昭５６−４６７４５号のものにあっては、これも平行リンクおよびバネにより適宜位置に上下に回動移動させて行うものであるが、固定手段としてエアーシリンダーを利用することによりアームの回転を制御しているが、構造が複雑なものとなりまた操作弁の操作も煩雑なものとなっている。
【００１３】
本考案は前記した課題を解決せんとするもので、その目的とするところは、デンタルアームをスムースに回動移動するとともに適宜位置での固定を簡易に行え且つ確実に固定できるようにするデンタルアームにおける昇降およびロック装置を提供するにある。
【課題を解決するための手段】
【００１４】
本考案のデンタルアームにおける昇降およびロック装置は、前記目的を達成せんとするもので、請求項１の手段は、
ドクターまたはアシスタント等が使用する器具が載置されるホルダー等を支持するデンタルアームにおいて、
基台側に設けられる第１の基部ブラケットと、
器具載置台側に設けられる第２の基部ブラケットと、
前記第１および第２の基部ブラケットに両端が軸支され且つ上下方向に回動可動するように設けられる平行リンクの一辺を成す第２アームと、
平行リンクの他辺を成すリンクと、
前記第２の基部ブラケット側の第２アームの回転軸部の周縁部に第１噛合部を形成した第１ローラーと、
前記第２の基部ブラケットに対して回動自在に取り付けられ、且つ周縁部に第２噛合部を形成し且つ半月形状を成す第２のローラーを設けるとともに、前記第１噛合部と噛合また噛合を解除させるようにしたことを特徴とする。
【００１５】
請求項２の手段は、
第２のローラーはローラー取付板に設けられ、且つ前記第２の基部ブラケットに対して偏芯して回動するように設けられるとともに、押し釦等により前記ローラー取付板を押圧することにより第１噛合部との噛合を解除させて上下方向への回動移動をフリーとし、押し釦を放すことにより前記２つの噛合部を噛合させて係止させ下方向への回動移動を制止するとともに第２アームの上方向への回動移動をフリーとするようにしたことを特徴とする。
【考案の効果】
【００１６】
本考案のデンタルアームにおける昇降およびロック装置は、歯科治療時には、施術者は患者の近くでの作業となり、器具が載置されるホルダーをあまり大きく移動させることがなく、そのために上下の移動量を少なく構成し、前記先行引用文献のものと比較して簡易に治療位置に移動できるようになっている。
またデンタルアームの下方向への回動移動を係止すると同時に上方向への回動移動をフリーとしているため、器具等が載置されるホルダー等を容易に上方向へ移動することができる。
【００１７】
またアームの固定においては、噛み合い部に噛合部を有するローラーを設けているため確実にアームの固定ができ、簡単に磨耗などにより損傷することもない。
【００１８】
さらには、ロック構造としては複雑な構造とはならず簡易に構成されているため、組立てや工数の低減にも大きく効果のあるものとなっている。
【考案を実施するための最良の形態】
【００１９】
本考案は、ドクターまたはアシスタント等が使用する器具が載置されるホルダー等を支持するデンタルアームにおいて、基台側に設けられる第１の基部ブラケットと、器具載置台側に設けられる第２の基部ブラケットとを設け、前記基部ブラケットの間に上下方向に可動するように平行リンクの一辺を成す第２アームと、平行リンクの他辺を成すリンクとを設け、さらには前記第２アームの回転軸部の周縁部に第１噛合部を形成した第１ローラーと、第２の基部ブラケット周縁部に第２噛合部を形成した半月形状を成す第２のローラーを半月形の中心位置より偏芯させて設け、押し釦等で前記第２のローラーを押圧することによって、前記第１噛合部と第２噛合部とを噛合または噛合を解除させるようにした。
【実施例１】
【００２０】
以下、本考案に係るデンタルアームにおける昇降およびロック装置の一実施例を図面とともに説明する。
図１は本考案に係るデンタルアームの全体斜視図、図２は本考案に係るデンタルアームの第２アーム部が水平状態の一部断面斜視図、図３は本考案に係るデンタルアームの第２アームが上昇した状態の一部断面斜視図、図４は本考案に係るデンタルアームの断面図、図５は本考案に係るデンタルアームの器具載置側回転軸部の部分断面斜視図、図６は本考案に係るデンタルアーム固定時の器具載置側回転軸部の部分断面図、図７は本考案に係るデンタルアーム固定解除時の器具載置側回転軸部の部分断面図である。
【００２１】
１は歯科用椅子（図示せず）などに取付ネジ２で設けられる基台取付ブラケット、３は回転軸であり、第１アーム４が前記基台取付ブラケット１に対して水平方向に回転自在に設けられるようになっている。
【００２２】
５は後述する第１の基部ブラケット６の回転軸であり、６は後述する第２アーム７を支持する第１の基部ブラケットであり、前記第１アーム４に対して水平方向に回動自在に設けられている。
６は第１の基部ブラケットであり、６ａは該基部ブラケット６の先端部に立設する立設杆であり、６ｂは立設杆６ａの上方部に設けられ、空洞部を有する取付板部である。
【００２３】
７は前記取付板部６ｂの両側にピン等で取り付けられる後述する第２アーム第１回転軸７ａで軸支される第２アームである。
７ａは取付板部６ｂに設けられる第２アーム第１回転軸であり、前記取付板部６ｂに対して回動自在に設けられている。
７ｂは後述する第２の基部ブラケット９の取付板部９ａに設けられる第２アーム第２回転軸であり、取付板部９ａに対して回動自在に設けられている。
【００２４】
従って、第２アーム７は前記第２アーム第１回転軸７ａおよび第２アーム第２回転軸７ｂで軸支されている。
また7ｃは前記第２アーム第２回転軸７ｂに設けらる第１ローラーであり、該第１ローラー７ｃの周縁部には適宜間隔で切り溝が施されている第１噛合部７ｄを有する。
【００２５】
８は前記第１基部ブラケット６および後述する第２の基部ブラケット９に設けられる取付板部６ｂおよび後述する取付板部９ａの関節部を被覆するための関節部カバーである。
９は第２の基部ブラケットであり、取付板部９ａおよび後述するスプリング１５の一端を係止する係止片９ｂを構成している。
１０は歯科治療に使用するシリンジやスケーラーなどの歯科用器具を載置しておくためのホルダーであり、１０ａは前記歯科用器具を操作させるためのスイッチ等が配置される操作部である。
【００２６】
１１はリンクであり、リンク第１回転軸１１ａに軸支され、一端が第１の基部ブラケット６の取付板部６ｂに対して回動自在に設けられ、他端が第２の基部ブラケット９の取付板部９ａに設けられるリンク第２回転軸１１ｂで軸支され、該取付板部９ａに対して回動自在に設けられている。
【００２７】
従って、前記第２アーム第１回転軸７ａと第２アーム第２回転軸７ｂで軸支される第２アーム７と該リンク第１回転軸１１ａとリンク第２回転軸１１ｂで軸支されるリンク１１で平行リンクを形成して、ホルダー１０はこの平行リンクで上下方向に回動移動できるように構成されている。
【００２８】
１２は横断面形状が半月形状をなし、且つ周縁部に適宜間隔で切り溝が設けられた第２噛合部１２ａを有する第２ローラーであり、切欠部１３ａを有するローラー取付板部１３に取り付けられている。
なお前記第２ローラー１２に設けられる第２噛合部１２ａは前記第１噛合部７ｄに噛合するようになっている。
該第２ローラー１２は、第２の基部ブラケット９の取付板部９ａに第２ローラー１２の中心位置より偏芯させてローラー回転軸１４で軸支されている。
【００２９】
１５は巻きバネ等のスプリングであり、両端が第２の基部ブラケット９に設けられる係止片９ｂおよびローラー取付板部１３に設けられる切欠部１３ａに係止され、第２ローラー１２を反時計方向に付勢するように設けられている。
１６は第２の基部ブラケット９に設けられる押し釦であり、前記スプリング１５で付勢される第２ローラー１２が設けられる前記ローラー取付板１３を下方向に押圧できるように構成されている。
【００３０】
従って、前記押し釦１６を押すことによって、前記第２ローラー１２に施されている第２噛合部１２ａと前記第１ローラー７ｃに施されている第１噛合部７ｄとが噛合または噛合を解除できるようになっている。
また第２ローラー１２の周縁部に設けられる第２噛合部１２ａは、第２ローラー１２の中心位置より偏芯させて回転させているため、第２アーム７が上方へ回動する負荷が掛かった場合、第２アーム７の上方向への回動移動をフリーとするように構成されている。
【００３１】
以上の構成により、本考案のデンタルアームは使用時など固定されている状態は図６に示す如く、第２アーム第２回転軸７ｂに設けられる第１噛合部７ｄと前記第２の基部ブラケット９に対してローラー回転軸１４で回動する第２ローラーに設けられる第２噛合部１２ａとが噛み合い係止した状態で保持される。
【００３２】
またデンタルアームを上方向に移動させたい場合は、第２アーム７を上方向へ持ち上げると第２アーム７の第２回転軸７ｂは反時計周りの方向に荷重が掛かり、スプリング１５で係止されている負荷よりも大きな負荷が掛かることとなり、さらにローラー回転軸１４が第２ローラー１２の中心位置より偏芯して設けられることから、第２アーム７は容易に上方向へ回動するようになっている。
従って、前記第１噛合部７ｄと第２噛合部１２ａとが噛合状態にあっても、第２アーム７に対して上方向の回転を加えれば容易に回動移動するようになっている。
【００３３】
また逆にデンタルアームを下方向へ回動移動させたい場合は、図７に示す如く、押し釦１６を押すことにより、前記ローラー取付板１３が押され、第２ローラー１２に設けられる第２噛合部１２ａは偏芯して設けられるローラー回転軸１４を中心として時計回りに回動し、前記第２回転軸７ｂの外周縁に設けられる第１噛合部７ｄから離れる。
これにより、第２アーム７はフリーとなり、上下方向に自由に回動移動できるようになる。
【００３４】
さらに第２アーム７の回動を停止する場合は、前記押し釦１６から手を放すことによって、押し釦１６の先端部は前記ローラー取付板１３がスプリング１５により反時計方向への付勢により上方向へ戻され最上位置で係止固定される。
その際、第２ローラー１２に設けられる第２噛合部１２ａは、ローラー回転軸１４を中心として反時計方向に回転し、前記第２噛合部１２ａは第２回転軸７ｂの外周縁に設けられる第１噛合部７ｄと噛合して第２アーム７は係止固定される。
【００３５】
係止された状態でデンタルアームを下方向へ荷重を掛けてもローラー回転軸１４は偏芯して設けられているため、該第１噛合部７ｄが時計回りに回動しようとする負荷を制止しているため堅固なデンタルアームの位置固定が可能となる。
【００３６】
前記した実施例はデンタルアームの形状は限定するものではなく、また実施例のデンタルアームを構成する部材等は限定するものではなく、適宜採用できるものである。
【図面の簡単な説明】
【００３７】
【図１】本考案に係るデンタルアームの全体斜視図である。
【図２】本考案に係るデンタルアームの第２アームが水平状態の一部断面斜視図である。
【図３】本考案に係るデンタルアームの第２アームが上昇した状態の一部断面斜視図である。
【図４】本考案に係るデンタルアームの断面図である。
【図５】本考案に係るデンタルアームの器具載置側回転軸部の部分断面斜視図である。
【図６】本考案に係るデンタルアーム固定時の器具載置側回転軸部の部分断面図である。
【図７】本考案に係るデンタルアーム固定解除時の器具載置側回転軸部の部分断面図である。
【符号の説明】
【００３８】
１          基台取付ブラケット
２          取付ネジ
３          第１アーム回転軸
４          第１アーム
５          第２アーム回転軸
６          第１の基部ブラケット
６ａ        立設杆
６ｂ        取付板部
７          第２アーム
７ａ        第２アーム第１回転軸
７ｂ        第２アーム第２回転軸
７ｃ        第１ローラー
７ｄ        第１噛合部
８          関節部カバー
９          第２の基部ブラケット
９ａ        取付板部
９ｂ        係止片
１０        ホルダー
１０ａ      操作部
１１        リンク
１１ａ      リンク第１回転軸
１１ｂ      リンク第２回転軸
１２        第２ローラー
１２ａ      第２噛合部
１３        ローラー取付板
１３ａ      切欠部
１４        ローラー回転軸
１５        スプリング
１６        押し釦
【図１】
0003139512.tif 000003
【図２】
0003139512.tif 000004
【図３】
0003139512.tif 000005
【図４】
0003139512.tif 000006
【図５】
0003139512.tif 000007
【図６】
0003139512.tif 000008
【図７】
0003139512.tif 000009